(57)【要約】【課題】  遊技球の落下経路に関して興趣性を与える弾球遊技機の遊技構成部品を提供する。【解決手段】  前面に遊技球を落下させる遊技領域ＰＡが形成される遊技盤１０を有して構成される弾球遊技機ＰＭにおいて、遊技領域ＰＡ内に位置して遊技盤１０の前面に設けられる遊技構成部品６０であって、遊技盤１０の前面に回転自在に取り付けられた回転部材６１と、回転部材６１の前面に設けられて遊技球の落下経路に変化を与える経路変更手段６５とから構成される。【選択図】  図３
2006263203.tif 000002
【特許請求の範囲】
【請求項１】
前面に遊技球を落下させる遊技領域が形成される遊技盤を有して構成される弾球遊技機において、前記遊技領域内に位置して前記遊技盤の前面に設けられる遊技構成部品であって、
前記遊技盤の前面に回転自在に取り付けられた回転部材と、
前記回転部材の前面に設けられて遊技球の落下経路に変化を与える経路変更手段とから構成されることを特徴とする弾球遊技機の遊技構成部品。
【請求項２】
前記経路変更手段は、少なくとも前記回転部材の回転中心に対して偏心した位置に前記回転部材の前面から突出して設けられ、落下する遊技球と接触して当該遊技球を弾いて落下経路に変化を与えることを特徴とする請求項１に記載の弾球遊技機の遊技構成部品。
【請求項３】
前記回転部材がリング板状に形成され、
前記経路変更手段が前記回転部材の前面に略円弧状に延びて設けられ、
前記回転部材が回転されて前記経路変更手段を上方に向けた位置と前記経路変更手段を下方に向けた位置とに変位されることを特徴とする請求項２に記載の弾球遊技機の遊技構成部品。
【請求項４】
前記経路変更手段が複数の遊技釘から構成され、
前記複数の遊技釘が前記回転部材に遊技球の通過を阻止する間隔で円弧状に並んで植設されることを特徴とする請求項３に記載の弾球遊技機の遊技構成部品。
【請求項５】
前記回転部材のリング内方は固定されており、
前記遊技盤の前面に前記リング内方に位置して入賞口が設けられることを特徴とする請求項３または４に記載の弾球遊技機の遊技構成部品。
【請求項６】
前記回転部材が円板状に形成され、
前記経路変更手段により、一端側開口および他端側開口がそれぞれ前記回転部材の外周辺縁部に位置して前記回転部材の前面を遊技球が通過可能な球通路部が画成されることを特徴とする請求項１または２に記載の弾球遊技機の遊技構成部品。
【請求項７】
前記一端側開口が前記他端側開口に対して拡開され、
前記回転部材が回転されて前記一端側開口を上方に向ける位置と前記他端側開口を上方に向ける位置とに変位されることを特徴とする請求項６に記載の弾球遊技機の遊技構成部品。
【請求項８】
前記経路変更手段が複数の遊技釘から構成され、
前記回転部材に前記複数の遊技釘がそれぞれ所定の間隔で並ぶ２本の釘列を成して植設され、前記２本の釘列により前記球通路部が画成されることを特徴とする請求項６または７に記載の弾球遊技機の遊技構成部品。
【請求項９】
前記遊技盤の前面に前記回転部材の下方に位置して入賞口が設けられることを特徴とする請求項６〜８のいずれかに記載の弾球遊技機の遊技構成部品。
【発明の詳細な説明】
【技術分野】
【０００１】
本発明は、前面に遊技球を落下させる遊技領域が形成される遊技盤を有して構成される弾球遊技機において、遊技領域内に位置して遊技盤の前面に設けられる弾球遊技機の遊技構成部品に関する。
【背景技術】
【０００２】
このような弾球遊技機の例として、一般にパチンコ機、アレンジボール機、雀球遊技機等が知られている。例えばパチンコ機は、外郭方形枠状の外枠、外枠の上部に取り付けられて前面にガラス扉を開閉自在に装着した前枠、前枠に対して着脱自在に取り付けられて閉止状態のガラス扉の背面側に保持される遊技盤等を有して構成される。遊技盤の前面には略円形状の遊技領域が形成され、遊技領域内に各種の遊技構成部品が設けられている。このようなパチンコ機では、遊技球を球発射装置により遊技領域の上部に打ち出して遊技領域内に導き、遊技領域内を落下させる過程で遊技領域内に設けられた入賞口に入賞させ、入賞に応じて支払われる賞球を獲得する遊技が行われる。
【０００３】
遊技領域内に位置して設けられる各種の遊技構成部品には、上記入賞口を始め、遊技釘、風車、図柄変動装置等があり、遊技球は遊技釘、風車等に接触して経路を変更させながら遊技領域内を落下する。また、遊技盤は一般にベニヤ板を基板として成形されており、遊技釘はこのような遊技盤に前面から打ち付けられて取り付けられる。また、風車は中心に設けたボスを遊技釘に緩嵌して取り付けられており、この遊技釘に対して回転自在とされる。
【特許文献１】特開２００４−２１５７０６号公報
【発明の開示】
【発明が解決しようとする課題】
【０００４】
このようにパチンコ機は、遊技釘、風車等で弾かれながら落下する遊技球を入賞口に入賞させる遊技に供される。しかしながら、従来の遊技盤においては、遊技球の落下経路を変更させ得る経路変更手段としての役割を有する遊技構成部品である遊技釘あるいは風車等は、一度遊技盤に取り付けられるとその取付箇所で固定された状態となる。また、従来は遊技球の経路を変更させるにも、遊技に供されていない間に遊技釘の打ち付け角度を変更調整する程度の手段しかなく、遊技機の仕様が定まると遊技球の落下経路が一定の範囲に規定されて遊技が単調なものとなるおそれがあるとともに、落下し得る経路を変更するための調整作業が煩雑であるという問題があった。また、遊技中にその打ち付け角度が変更されて遊技球の落下し得る経路が変更されるようなことはない。このようなことから、遊技球の落下し得る経路を遊技中に変更し、ひいてはこの経路変更により新たな興趣性を与える弾球遊技機の遊技構成部品の提供が求められている。
【０００５】
このような問題および課題に鑑み、本発明は、遊技球の落下経路に関して興趣性を与える弾球遊技機の遊技構成部品を提供することを目的とする。
【課題を解決するための手段】
【０００６】
上記目的達成のため、本発明に係る弾球遊技機の遊技構成部品は、前面に遊技球を落下させる遊技領域が形成される遊技盤を有して構成される弾球遊技機において、遊技領域内に位置して遊技盤の前面に設けられる遊技構成部品であって、遊技盤の前面に回転自在に取り付けられた回転部材と、この回転部材の前面に設けられて遊技球の落下経路に変化を与える経路変更手段とから構成している。
【０００７】
また、経路変更手段（例えば実施形態における遊技釘８５，１０５、風車１１５等）を少なくとも回転部材（例えば実施形態における円板６１、リング板８１）の回転中心に対して偏心した位置に回転部材の前面から突出して設け、落下する遊技球と接触してこの接触した遊技球を弾いて落下経路に変化を与えることが好ましい。
【０００８】
このとき、回転部材（例えば実施形態におけるリング板８１）をリング板状に形成し、経路変更手段（例えば実施形態における遊技釘８５等）を回転部材の前面に略円弧状に延びて設け、回転部材を、経路変更手段が上方に向けられた位置と経路変更手段が下方に向けられた位置とに変位させるように構成してもよい。
【０００９】
さらに、経路変更手段を複数の遊技釘から構成し、回転部材に複数の遊技釘を遊技球の通過を阻止する間隔で円弧状に並べて植設して構成してもよい。
【００１０】
なお、回転部材のリング内方を固定し、遊技盤の前面にリング内方に位置して入賞口（例えば実施形態における大入賞口２８ｂ）を設けることが好ましい。
【００１１】
また、回転部材（例えば実施形態における円板６１）を円形状に形成し、経路変更手段（例えば実施形態における遊技釘６５等）により、一端側開口および他端側開口がそれぞれ回転部材の外周辺縁部に位置して回転部材の前面を遊技球が通過可能な球通路部が画成されるように構成してもよい。
【００１２】
このとき、一端側開口を他端側開口に対して拡開し、回転部材を、一端側開口が上方に向けられた位置と他端側開口が上方に向けられた位置とに変位させるように構成してもよい。
【００１３】
さらに、経路変更手段を複数の遊技釘から構成し、回転部材に複数の遊技釘を遊技球の通過を阻止する間隔で円弧状に並べて植設して構成してもよい。回転部材に複数の遊技釘をそれぞれ所定の間隔で並ぶ２本の釘列を成すようにして植設し、これら２本の釘列により球通路部を画成されるように構成してもよい。
【００１４】
なお、遊技盤の前面に回転部材の下方に位置して入賞口（例えば実施形態における始動入賞口１８ａ）を設けることが好ましい。
【発明の効果】
【００１５】
本発明に係る弾球遊技機の遊技構成部品によると、従来は一度遊技盤に設けられるとその箇所で固定されていた経路変更手段を回転部材の回転に連動させることができ、遊技中において遊技球の落下し得る経路を回転に伴って変更させることができる。また、これにより視覚的な興趣性を付与することができる。
【００１６】
また、この経路変更手段を回転部材の前面から突出して設けることで、落下する遊技球に接触させて遊技球を弾いて落下経路に変化を与えることができる。このような経路変更手段を回転部材の回転中心と偏心した位置に設けることで、回転部材の回転に伴って遊技球が接触して弾かれる箇所を変位させて遊技球の落下し得る経路を遊技中に変化させることができ、弾球遊技機の興趣性を向上させることができる。
【００１７】
また、回転部材をリング板状に形成し、経路変更手段を円弧状に延びるようにして設け、経路変更手段を少なくとも上方および下方にそれぞれ向けた位置に変位可能に構成している。経路変更手段が上方に位置していると、落下する遊技球の障害となって回転部材の内側に遊技球は到達困難な状態が作り出される。下方に位置していると、回転部材の内方に遊技球が到達容易な状態が作り出される。このように、回転部材および経路変更手段の構成およびこれらを変位させる位置により、経路変更手段が障害物としての役割を果たすとともに、遊技中において回転部材の内方に遊技球が到達容易な状態と到達困難な状態とを作り出すことができ、興趣性がより向上した弾球遊技機を提供することができる。なお、経路変更手段を複数の遊技釘から構成し、遊技釘により円弧状に延びる釘列を形成して構成しても実施可能である。このとき、遊技釘の形状からいって落下する遊技球の遊技釘に対する落下接触角度はその都度異なることから、接触後の遊技球の経路に多様性を持たせることができる。
【００１８】
さらに、上記構成の遊技構成部品において、回転部材のリング内方が固定された状態とし、この固定された回転部材のリング内方に入賞口を設けて構成すると、遊技球が入賞口に入賞容易な状態と入賞困難な状態とが作り出される。すなわち、回転部材の回転位置により遊技者にとって有利な状態と不利な状態とを作り出すことができ、弾球遊技機の興趣性をより向上させることができる。
【００１９】
また、円形状に形成された回転部材の前面に経路変更部材により遊技球が通過可能な球通路部を画成するように構成すると、回転部材の近傍に落下した遊技球は、球通路部に導入される遊技球と、球通路部に導入されない遊技球とで落下経路が変更される。また、この球通路部は、回転部材に連動して回転部材の外周辺縁部に形成される開口位置が変位されるため、同じ箇所に落下した遊技球であっても回転部材の回転位置によっては、球通路部に導入されたり導入されなかったりする。このように、遊技球の落下し得る経路に多様性を持たせることができ、興趣性がより向上した弾球遊技機を提供することができる。
【００２０】
また、球通路部の一端側開口を他端側開口に対して拡開し、一端側開口が上方に向けられた位置と、他端側開口が上方に向けられた位置とに回転部材を変位させるように構成している。これにより、幅広の一端側開口が上方に向けられた位置にあるとき、幅狭の他端側開口が上方に向けられた位置にあるときに比べて回転部材の近傍に落下した遊技球が球通路部に導入容易な状態となる。このように、球通路部の構成および回転部材を変位させる位置により、遊技球が球通路部に導入容易な状態と導入困難な状態とを作り出すことができ、興趣性がより向上した弾球遊技機を提供することができる。なお、経路変更手段を複数の遊技釘から構成し、遊技釘により２本の釘列を形成してこれら釘列により球通路部を画成しても実施可能である。このとき、遊技釘の形状からいって落下する遊技球の遊技釘に対する落下接触角度はその都度異なることから、接触後の遊技球の経路に多様性を持たせることができる。
【００２１】
さらに、上記構成の遊技構成部品において、回転部材の下方に入賞口を設けることにより、遊技球を球通路部に導入容易な状態では入賞口に入賞容易な状態となり、球通路部に導入困難な状態では入賞口に入賞困難な状態となる。すなわち、回転部材の回転位置に応じて遊技者にとって有利な状態と不利な状態とを作り出すことができ、弾球遊技機の興趣性をより向上させることができる。
【発明を実施するための最良の形態】
【００２２】
以下、本発明の好ましい実施形態について図面を参照しながら説明する。本発明に係る弾球遊技機の一例として、図１にパチンコ機ＰＭの正面図、図２にパチンコ機ＰＭの背面図、図３に遊技盤１０の正面図をそれぞれ示している。まず、これらの図面を参照してパチンコ機ＰＭの概要構成について説明する。
【００２３】
パチンコ機ＰＭは、外郭方形枠サイズに構成されて縦向きの固定保持枠をなす外枠１の開口前面に、これに合わせた方形枠サイズに構成された開閉搭載用の前枠２が前方に横開き開閉および着脱可能に取り付けられ、正面右側に設けた施錠装置を利用して常には外枠１に係止連結された閉止状態で保持される。
【００２４】
前枠２の前面上部には、ガラス扉３が前方に横開き開閉および着脱可能に取り付けられ、正面右側に設けた施錠装置を利用して常には前枠２の前面を覆う閉止状態で保持される。また、前枠２の上部にはガラス扉３の背後に位置して遊技盤１０を着脱可能に収容する図示しない収容枠が一体に設けられており、遊技盤１０は、収容枠に設けられたクランプレバーをレバー収容孔１０ａ，１０ａに係合させた立設状態で保持され、保持された状態において前面からガラス扉３を通して視認される。
【００２５】
遊技盤１０は、所定板厚（例えば約２０mm）のベニヤの表面に、セルを貼り付けてルータ加工した化粧板１１を基板として成形される。化粧板１１の前面には上下２分割のレール飾り１２，１３がビス止めされており、これらレール飾り１２、１３により、略円形の遊技領域ＰＡが画成されるとともに、図示しない球発射装置から発射される遊技球を遊技領域ＰＡの上部に導く案内レール面１２ａ，１３ａが形成される。また、遊技盤１０の前面には、遊技領域ＰＡの内側に位置して、各種の遊技構成部品が取り付けられる。この遊技構成部品として、遊技盤１０の前面に植設されて遊技球の落下経路に変化を与える多数本の遊技釘（図示略）および複数の風車１６，１６、遊技状態に応じて表示される図柄を変動させる図柄表示装置１７、遊技球が入球すると所定の賞球の払い出しを行わせる各種入賞口１８，１８，…（１８ａ，１８ｂ）、下端部に設けられて入賞口１８に入球しなかった遊技球を遊技盤１０の背面側に導くアウト口１９等が設けられている。
【００２６】
前枠２の前面下部には、球皿４が前方に横開き開閉および着脱可能に設けられ、正面右側に設けた施錠装置を利用して常には前枠２の前面を覆う閉止状態に保持される。球皿４の皿内には図示しない球整列通路が成形されており、球皿４の背面側であって球整列通路の終端に整合する位置に球発射装置が配設されている。これにより、球皿４に貯留される遊技球は、球整列通路を伝って順次球発射装置に送られるようになっている。
【００２７】
また、球皿４の周辺には遊技操作を行うための各種操作部が設けられている。球皿４の前面右部には球発射装置の作動操作をするための発射ハンドル４６が設けられている。また、球皿４に貯留される遊技球を抜き落とすための球抜き操作部４７、図示しないＣＲユニットに係る入力操作をするためのＣＲ操作部４８、例えば特別遊技状態等で行われるサブゲームでの入力操作をするためのサブゲーム操作部４９等が、それぞれ球皿４の周辺に設けられている。
【００２８】
前枠２の背面には、裏セット盤５が横開き開閉および着脱可能に取り付けられ、常には前枠２にクランプレバー５ａ，５ａ，…を介して閉止状態に保持される。裏セット盤５には、貯留する賞球を球皿４に導く球払出機構５０が設けられており、入賞口１８に入球するなど所定の条件で駆動される球払出装置５３が作動すると、貯留タンク５１に貯留される遊技球がタンクレール５２、球払出レール５４を介して球皿４に導かれるようになっている。また、裏セット盤５の背面には、電子部品に電力を供給する電源ユニット５６、パチンコ機ＰＭの作動を統括的に制御する主制御基板５７、図柄表示装置１７による演出等を制御するサブ制御基板５８等の制御装置が設けられている。
【００２９】
このようなパチンコ機ＰＭの遊技は、発射ハンドル４６の操作により球皿４に貯留される遊技球を球発射装置により発射し、案内レール面１２ａ，１３ａを伝わせて遊技領域ＰＡの上部に導き、遊技領域ＰＡ内を落下させて行われる。遊技領域ＰＡ内に導かれた遊技球は、遊技盤１０の前面に植設される遊技釘、風車１６，１６等と接触して弾かれ、落下経路を変更させながら落下し、入賞口１８もしくはアウト口１９に入球して遊技盤１０の背面側に送られ、図示しない球回収機構により回収される。
【００３０】
入賞口１８に入球すると、球払出装置５３が作動して球貯留タンク５１から所定数の遊技球が球皿４に払い出される。なお、遊技球が始動入賞口１８ａに入球したときには、主制御基板５７およびサブ制御基板５８の制御を受けて図柄表示装置１７に表示される図柄が変動し、所定時間の変動後に停止図柄が表示される。この停止図柄が当たり図柄のときには、通常遊技状態から特別遊技状態へと遊技状態が移行する。特別遊技状態においては、常には閉鎖状態の大入賞口１８ｂが開放されて遊技球がこの大入賞口１８ｂに入球容易となり、遊技者に大量の賞球を得る機会が与えられる。
【００３１】
このようなパチンコ機ＰＭにおいて、遊技盤１０の前面に本発明の第１実施例の遊技構成部品６０が設けられる。以下、図４に示す遊技構成部品６０の正面図、図５に示す遊技盤１０の側断面図を併せて参照し、本実施例の遊技構成部品６０について説明する。
【００３２】
遊技盤１０の前面には始動入賞口１８ａの上方に位置して円形孔１０ｂが貫通して設けられており、遊技構成部品６０はこの円形孔１０ｂに嵌め込まれて遊技盤１０に取り付けられる。遊技構成部品６０は、円形平板状に形成された円板６１の前面６１ａに複数の遊技釘６５，６５，…を植設して構成される。
【００３３】
円板６１は、ベニヤで成形されており、円形平板状の本体部６１ｃが径を円形孔１０ｂの径より僅かに小さく、厚さを遊技盤１０の厚さに等しく形成され、背面６１ｂに本体部６１ｃより大きい径のフランジ部６１ｄが一体に形成されている。また、背面６１ｂには円板６１の中心軸上を背面方向に延びて回転シャフト６２が取り付けられている。
【００３４】
円板６１の前面６１ａには複数の遊技釘６５，６５，…が、それぞれ円板６１を横断するように延びる八字状の２本の釘列６５ａ，６５ａを形成して植設されている。釘列６５ａは、遊技球（直径約１１mm）を通過させない所定の間隔で遊技釘６５，６５，…を並べて植設することにより形成される。２本の釘列６５ａ，６５ａの間は遊技球が通過可能な幅を有しており、これら釘列６５ａ，６５ａに囲まれて球通路部６６が画成される。また、２本の釘列６５ａ，６５ａが円板６１を横断するように形成されていることから円板６１の外周辺縁部６１ｅに球通路部６６の両端開口６６ａ，６６ｂが形成されるが、２本の釘列６５ａ，６５ａが八字状に形成されているため、一端側開口６６ａが他端側開口６６ｂに対して拡開している。
【００３５】
このように、円板６１の前面６１ａに球通路部６６が形成されて構成される遊技構成部品６０は、遊技盤１０の背面側から円形孔１０ｂに嵌め込まれ、フランジ部６１ｄを遊技盤１０の背面に当接させて遊技盤１０に取り付けられる。なお、遊技盤１０の背面には円形孔１０ｂと同軸上に位置してフランジ部６１ｄの径よりも内径が僅かに大きいガイドリング６９が設けられており、フランジ部６１ｄをこのガイドリング６９内に収容させることで円板６１を安定して回転させることができる。この遊技構成部品６０の取付状態において、本体部６１ｃの厚さと遊技盤１０の厚さとが等しいことから、円板６１の前面６１ａが遊技盤１０の前面と同一平面を形成する。また、円形孔１０ｂと始動入賞口１８ａとの位置関係から、遊技構成部品６０は遊技領域ＰＡ内において始動入賞口１８ａの上方に位置する。
【００３６】
また、遊技盤１０の背面には円板６１を回転駆動するための回転駆動装置７０が設けられている。回転駆動装置７０は、遊技盤１０の背面に固定されたモータ７１と、モータ７１の出力回転を減速して円板６１に伝達する伝達機構７２とから構成される。モータ７１は、例えばステップモータ、リニアモータ等からなり、図示しない配線により主制御基板５７と電気的に接続され、主制御基板５７を介して電源ユニット５６からの電力が供給されて駆動制御される。伝達機構７２は、モータ７１の出力軸７１ａに設けられてこの出力軸７１ａと一体回転可能な駆動ギヤ７３と、駆動ギヤ７３と噛合するとともに回転シャフト６２に設けられてこの回転シャフト６２と一体回転可能な従動ギヤ７４とからなり、モータ７１の出力軸７１ａの回転をギヤ列７３，７４で減速して回転シャフト６２に伝達する。
【００３７】
この回転駆動装置７０により、主制御基板５７からの駆動指令を受けたモータ７１が作動すると伝達機構７２を介して回転シャフト６２が回転駆動され、円板６１が回転する。主制御基板５７は、間欠的にモータ７１を駆動するようになっており、常にはモータ７１を停止させるように制御して円板６１を予め定められた回転位置で保持するが、遊技状態等から所定の条件を満たしたと判断したときにモータ７１を駆動して円板６１の回転位置を変位させる。
【００３８】
図６に示すように、円板６１は、主制御基板５７によるモータ７１の駆動制御により予め定められた複数の回転位置、すなわち、幅広の一端側開口６６ａを上方に向けた回転位置、幅狭の他端側開口６６ｂを上方に向けた回転位置、両端開口６６ａ，６６ｂを側方に向けた回転位置に変位される。なお、図６(ａ)，(ｂ)に示すように、一端側開口６６ａを上方に向けたときにおいては他端側開口６６ｂが円板６１の下方に位置する始動入賞口１８ａに対向し、他端側開口６６ｂを上方に向けたときにおいては一端側開口６６ａが始動入賞口１８ａに対向する。
【００３９】
図６(ａ)に示すように、円板６１が幅広の一端側開口６６ａを上方に向けた回転位置にあるときには、落下する遊技球が球通路部６６に容易に導入される。さらにこのとき、球通路部６６を通過した遊技球は幅狭の他端側開口６６ｂから排出されて常にほぼ一様な落下経路で落下することから、始動入賞口１８ａに入賞容易な状態となる。
【００４０】
図６(ｂ)に示すように、円板６１が幅狭の他端側開口６６ｂを上方に向けた回転位置にあるときには、一端側開口６６ａが上方に位置するときに比べて遊技球が球通路部６６に導入困難な状態となる。このとき、球通路部６６に導入されなかった遊技球は、下方に拡開した八字状に延びて設けられる釘列６５ａ，６５ａに沿って落下し、下方に位置する始動入賞口１８ａから遠ざかるようにして落下する。また、球通路部６６に導入されても、遊技球は幅広の一端側開口６６ａから排出されるため落下経路が一様でなく、始動入賞口１８ａに入賞困難な状態となる。
【００４１】
図６(ｃ)に示すように、円板６１が両端開口６６ａ，６６ｂを側方に向けた回転位置にあるときには、２本の釘列６５ａ，６５ａが左右方向に延びる。また、遊技球を通過させない間隔で遊技釘６５，６５，…を植設して釘列６５ａが形成されているため、遊技球は遊技釘６５により弾かれて釘列６５ａに沿って落下し、始動入賞口１８ａへの入賞を妨げられる。
【００４２】
このように、本実施例の遊技構成部品６０は、円板６１の回転位置により、遊技者にとって有利・不利な状態が３段階に分けて作り出される。
【００４３】
このような本実施例の遊技構成部品６０によれば、遊技盤１０に設けられた円形孔１０ｂに嵌め込まれた円板６１の前面６１ａに複数の遊技釘６５，６５，…を植設し、この複数の遊技釘６５，６５，…によって２本の釘列６５ａ，６５ａを形成してこれら釘列６５ａ，６５ａにより球通路部６６を画成している。そして、回転駆動装置７０により、円板６１を回転駆動させるようになっている。これにより、円板６１の回転に連動して球通路部６６の両端開口６６ａ，６６ｂの位置を変位させることができる。これにより、同じ箇所に落下する遊技球であっても、円板６１の回転位置によっては、球通路部６６に導入されるときと球通路部６６に導入されないときがある。これにより、遊技球の落下し得る経路を、遊技中に複雑に変化させることができ、興趣性の向上したパチンコ機ＰＭを提供することができる。また、このような球通路部６６の変位により、視覚的にも興趣性を向上させることができる。
【００４４】
また、球通路部６６の一端側開口６６ａを他端側開口６６ｂに対して拡開し、一端側開口６６ａを上方に向けた回転位置と、他端側開口６６ｂを上方に向けた回転位置とで円板６１を変位させるように構成している。これにより、幅広の一端側開口６６ａを上方に向けた回転位置であるとき、幅狭の他端側開口６６ｂを上方に向けた回転位置であるときに比べ、円板６１の近傍に落下した遊技球が球通路部６６に導入容易な状態となる。このように、両端開口６６ａ，６６ｂの形状および円板６１を変位させる回転位置により、遊技球が球通路部６６に導入容易な状態と導入困難な状態とを作り出すことができ、興趣性がより向上したパチンコ機ＰＭを提供することができる。また、球通路部６６を画成するため、複数の遊技釘６５，６５，…で釘列６５ａ，６５ａを形成するように植設している。このとき、軸細の遊技釘６５の形状からいって、落下する遊技球の遊技釘６５に対する接触角度はその都度全く異なるため、接触後の遊技球の経路に多様性を持たせることができる。
【００４５】
また、円形孔１０ａを始動入賞口１８ａの上方に設けているため、球通路部６６に導入容易な状態では始動入賞口１８ａに入賞容易な状態となり、球通路部６６に導入困難な状態では始動入賞口１８ａに入賞困難な状態となる。すなわち、この遊技構成部品６０により、遊技者にとって有利な状態と不利な状態とを作り出すことができ、興趣性をより向上させることができる。さらに、本実施例においては、両端開口６６ａ，６６ｂが側方に向けられて円板６１の下方に遊技球がほとんど導かれない状態も作り出されており、遊技球の落下し得る経路に多様性を持たせることができるとともに、遊技者にとっての有利・不利な状態をより多くの段階に分けることができる。
【００４６】
また、図７に本実施例の変更例を示している。図７(ａ)に示す遊技構成部品６０′は、樹脂材で成形された円板６１′から構成され、円板６１′の前面６１ａ′に円板６１′と一体の２本のリブ部６５ａ′，６５ａ′が突出して設けられる。これらリブ部６５ａ′，６５ａ′が上記釘列６５ａ，６５ａに相当し、球通路部６６′を画成する。この球通路部６６′の一端側開口６６ａ′は他端側開口６６ｂ′に対して拡開される。また、円板６１′の背面には、上記同様のフランジ部６１ｄ′が円板６１′に一体成形され、回転シャフト６２が取り付けられる。このような遊技構成部品６０′を円形孔１０ｂに嵌め込んで遊技盤１０に取り付け、回転駆動装置７０を取り付けてパチンコ機ＰＭを構成しても、上記実施例と同様の効果を得ることができる。
【００４７】
図７(ｂ)に示す遊技構成部品６０″は、樹脂材で成形された円板６１″からなり、この円板６１″が遊技盤１０よりも厚く成形される。円板６１″には前面６１ａ″を横断する凹設部６５″が形成され、この凹設部６５″を形成する側面６５ａ″および底面６５ｂ″により球通路部６６″が画成される。球通路部６６″の一端側開口６６ａ″は他端側開口６６ｂ″に対して拡開され、背面にフランジ部６１ｄ″が一体成形され、回転シャフト６２が取り付けられる。このような遊技構成部品６０″を円形孔１０ｂに取り付けると、遊技盤１０の前面に対して円板６１″の前面６１ａ″が突出し、凹設部６５″の底面６５ｂ″が遊技盤１０の前面と同一平面を形成する。このため、円板６１″が両端開口６６ａ″，６６ｂ″を側方に向けた回転位置にあるとき、落下する遊技球は円板６１″の外側面６１ｆ″に接触し、この外側面６１ｆ″に沿って落下する。このように、本構成例においても上記実施例と同様の効果を得ることができる。
【００４８】
なお、第１実施例およびその変更例においては、球通路部６６の一端側開口６６ａを他端側開口６６ｂに対して拡開して形成したが、球通路部６６の幅を一定に形成してもよい。
【００４９】
次に、本発明に係る遊技構成部品の第２実施例について、図８に示す遊技盤２０の正面図、図９に示す遊技構成部品８０の正面図、図１０に示す遊技盤２０の側断面図を参照して説明する。第２実施例は、図１，図２に示された第１実施例と同様のパチンコ機ＰＭが適用されており、第１実施例と同一の部材については同一の符号を付して重複説明を省略する。
【００５０】
本実施例の遊技盤２０は、第１実施例の遊技盤１０と同様にして化粧板２１を基板として前面に遊技領域ＰＡが画成されるが、遊技領域ＰＡの左右方向中央部における下方に位置して円形孔２０ｂが貫通して設けられている。本実施例の遊技構成部品８０は、この円形孔２０ｂに嵌め込まれて遊技盤２０に取り付けられる。遊技構成部品８０は、リング状に形成されたリング板８１の前面８１ａに複数の遊技釘８５，８５，…を植設するとともに、このリング板８１のリング内方に固定板８２を嵌め込んで構成される。
【００５１】
リング板８１は、遊技盤２０と厚さが等しいベニヤで成形されており、外径が円形孔２０ｂの径より僅かに小さく形成される。リング板８１の前面８１ａには、中心角度が略１８０度の円弧状に延びる釘列８５ａを形成して複数の遊技釘８５，８５，…が植設されている。この釘列８５ａは、第１実施例と同様に遊技球を通過させない間隔で遊技釘８５，８５，…を並ばせて配設されるとともに、円弧中央部８５ｂにおいて遊技球が通過可能な間隙を形成している。
【００５２】
固定板８２は、遊技盤２０と厚さが等しいベニヤで円形平板状に成形されており、径がリング板８１の内径より僅かに小さく形成される。固定板８２の前面８２ａには大入賞口２８ｂが設けられており、固定板８２を貫通して球回収機構に繋がる入賞球通路（図示略）が設けられている。また、背面８２ｂには、固定板８２の中心軸上を背面方向に延びて固定シャフト８３が取り付けられる。この固定板８２はリング板８１の内方に嵌め込まれる。
【００５３】
また、リング板８１の背面８１ｂには、両端に開口部８４ａ，８４ｂを有した円筒状の回転ブラケット８４が取り付けられる。回転ブラケット８４は、円筒内径がリング板８１の内径より僅かに大きく形成されており、一端側の開口部８４ａにリング板８１の外径より僅かに小さい径で形成されたフランジ部８４ｃを有している。回転ブラケット８４は、このフランジ部８４ｃをリング板８１の背面８１ｂに当接させ、ボルトを介してリング板８１に取り付けられる。これにより、固定板８２の中心軸上に延びる固定シャフト８３が、回転ブラケット８４の円筒空間８４ｄと略同軸上に位置して円筒空間８４ｄの内部に配設される。
【００５４】
このように構成される遊技構成部品８０は、円形孔２０ｂに嵌め込まれて遊技盤２０に取り付けられ、この取付状態において遊技盤２０の前面、リング板８１の前面８１ａ、および固定板８２の前面８２ａが同一平面を形成する。遊技盤２０の背面には、円筒状のケース８９が遊技構成部品８０を覆って設けられており、ケース８９のフランジ部８９ａがボルトを介して遊技盤に固定され、ケース８９の背面８９ｂがボルトおよびナットを介して固定シャフト８３に固定される。
【００５５】
また、本実施例の回転駆動装置９０は、回転ブラケット８４を回転駆動するモータ９１から構成される。このモータ９１は、回転ブラケット８４の円筒内周面８４ｅに設けられており、第１実施例と同様にして例えばステップモータ、リニアモータ等からなり、図示しない電気配線により主制御基板５７と電気的に接続されて主制御基板５７により駆動制御される。主制御基板５７からの駆動指令を受けてモータ９１が駆動すると、回転ブラケット８４が回転駆動され、回転ブラケット８４と連動してリング板８１が回転する。なお、前面８２ａに大入賞口２８ｂが設けられた固定板８２は、固定シャフト８３がケース８９を介して遊技盤２０に対して固定されて回転しない。また、主制御基板５７によるモータ９１の駆動制御は、第１実施例と同様にして所定の条件を満たしたと判断したときに回転ブラケット８４、すなわちリング板８１の回転位置を変位させる。
【００５６】
図９に示すように、リング板８１は、主制御基板５７によるモータ９１の駆動制御により予め定められた複数の回転位置、すなわち、円弧中央部８５ｂを上方に向けた回転位置、円弧中央部８５ｂを左方に向けた回転位置、円弧中央部８５ｂを右方に向けた回転位置、円弧中央部８５ｂを下方に向けた回転位置で変位される。
【００５７】
図９(ａ)に示すように、リング板８１が円弧中央部８５ｂを上方に向けた回転位置にあるときには、円弧中央部８５ｂの真上から落下する遊技球を除き、ほとんどの遊技球が遊技釘８５により弾かれる。すなわち、釘列８５ａの下方に位置し、大入賞口２８ｂが設けられてリング板８１の内方に位置する固定板８２の前面８２ａに遊技球が到達することはほとんどない。
【００５８】
図９(ｂ)に示すように、リング板８１が円弧中央部８５ｂを左方に向けた回転位置にあるときには、落下する遊技球のうち、上方および右方から落下する遊技球はリング板８１の内方に到達容易な状態とされ、左方から落下する遊技球は遊技釘８５に弾かれてリング板８１の内方に位置する固定板８２の前面８２ａに到達困難な状態とされる。また、図９(ｃ)に示すように、リング板８１が円弧中央部８５ｂを右方に向けた回転位置にあるときについても同様にして、上方および左方からの遊技球が固定板８２の前面８２ａに到達容易となり、右方からの遊技球が到達困難となる。
【００５９】
図９(ｄ)に示すように、リング板８１が円弧中央部８５ｂを下方に向けた回転位置にあるときには、全ての遊技球が固定板８２の前面８２ａに到達容易な状態となる。なお、固定板８２の前面８２ａに到達して大入賞口２８ｂに入賞しなかった遊技球については、大入賞口２８ｂの下方に位置する釘列８５ａの案内を受けて円弧中央部８５ｂから下方に落下し、アウト口２９に導かれる。
【００６０】
このように、本実施例の遊技構成部品８０においても、第１実施例と同様にしてリング板８１の回転位置により、遊技者にとって有利・不利な状態が３段階に分けて作り出される。
【００６１】
このような本実施例の遊技構成部品８０によれば、遊技盤２０に設けられた円形孔２０ｂに嵌め込まれるリング板８１の前面８１ａに複数の遊技釘８５，８５，…が植設されている。また、リング板８１は回転駆動装置９０により回転駆動されるが、これら遊技釘８５，８５，…はリング板８１の回転中心に対して偏心した位置にあり、リング板８１の回転に連動して変位する。このため、遊技球と接触して遊技球を弾いて落下し得る経路を遊技中に変化させることができ、パチンコ機ＰＭの興趣性を向上させることができる。また、これにより視覚的にも興趣性を付与することができる。
【００６２】
また、これら複数の遊技釘８５，８５，…が、遊技球を通過させない間隔で釘列８５ａを形成するようにして円弧状に設けられており、釘列８５ａの円弧中央部８５ｂを上方に向けた回転位置と、下方に向けた回転位置とでリング板８１を変位させるようになっている。これにより、リング板８１の近傍に落下した遊技球は、円弧中央部８５ｂが上方に位置するときは釘列８５ａに弾かれてリング板８１の内方に到達困難な状態となり、逆に円弧中央部８５ｂが下方に位置するときはリング板８１の内方に到達容易な状態となる。このように、遊技釘８５を設ける態様およびリング板８１の回転位置により、本発明に係る経路変更手段として設けられた遊技釘８５，８５，…が遊技球にとって障害物としての機能を果たすとともに、遊技中においてリング板８１の内方に到達容易な状態と到達困難な状態とを作り出すことができ、興趣性がより向上したパチンコ機ＰＭを提供することができる。また、この障害物として機能する経路変更手段を複数の遊技釘６５，６５，…から構成している。このとき、軸細の遊技釘８５の形状からいって、落下する遊技球の遊技釘６５に対する接触角度はその都度全く異なるため、接触後の遊技球の経路に多様性を持たせることができる。
【００６３】
また、リング板８１の内側に設けられる固定板８２をリング板８１に回転に関わらず遊技盤２０に対して固定されるように構成し、この固定板８２の前面８２ａに大入賞口２８ｂを設けている。これにより、釘列６５ａが向けられる位置によって大入賞口２８ｂに入賞容易な状態と、大入賞口２８ｂに入賞困難な状態が作り出される。すなわち、この遊技構成部品８０により、遊技者にとって有利な状態と不利な状態とを作り出すことができ、興趣性をより向上させることができる。また、本実施例においては、円弧中央部８５ｂを左方および右方に向けた回転位置にもリング板８１を変位可能に構成している。これにより、遊技球の落下し得る経路に多様性を持たせることができるとともに、遊技者にとっての有利・不利な状態をより多くの段階に分けることができる。
【００６４】
なお、リング板８１が円弧中央部８５ｂを左方に向けた回転位置にあるときには、右方から落下する遊技球については大入賞口２８ｂに入賞容易な状態となる。このため、遊技者は、球発射装置が遊技球を強く弾いて遊技領域ＰＡの右方に導くように発射ハンドル４６を操作することで、遊技球を大入賞口２８ｂに入賞させる機会を多く得ることができる。逆に、リング板８１が円弧中央部８５ｂを右方に向けた回転位置にあるときには、左方から落下する遊技球が大入賞口２８ｂに入賞容易な状態となるので、遊技者は、遊技領域ＰＡに導かれる遊技球が左方から落下するように発射ハンドル４６を操作することにより、大入賞口２８ｂに入賞させる機会を多く得ることができる。このように、本実施例の遊技構成部品８０によると、リング板８１の回転位置に応じて、遊技者が行い得る遊技操作に多様性を持たせることができ、興趣性に富んだ弾球遊技機を提供することができる。
【００６５】
また、図１１に本実施例の変更例を示している。図１１に示す遊技構成部品８０′は、樹脂材で成形されたリング板８１′を有して構成され、リング板８１′の前面８１ａ′にリング板８１′と一体の円弧状に延びるリブ部８５ａ′が突出して設けられる。このリブ部８５ａ′が上記釘列８５ａに相当し、円弧中央部８５ｂ′において遊技球が通過可能な間隙が形成される。このようなリング板８１′の内方に大入賞口２８ｂを前面８２ａに設けた固定板８２を嵌め込んで構成された遊技構成部品８０′を遊技盤２０に取り付けてパチンコ機ＰＭを構成しても、上記実施例と同様の効果を得ることができる。
【００６６】
次に、本発明に係る遊技構成部品の第３実施例について、図１２に示す遊技構成部品１００の正面図を参照して説明する。第３実施例は、図１，図２で示された第１実施例と同様のパチンコ機ＰＭが適用され、図３に示された第１実施例の遊技盤１０の円形孔１０ｂに遊技構成部品１００が取り付けられており、第１実施例と同一の部材については同一の符号を付して重複説明を省略する。
【００６７】
本実施例の遊技構成部品１００は、第１実施例と同様の円板６１から構成される。円板６１の前面６１ａには、不規則に遊技釘１０５ａ，１０５ｂ，１０５ｃおよび風車１１５ａ，１１５ｂが配設されている。なお、これら遊技釘１０５ａ，１０５ｂ，１０５ｃおよび風車１１５ａ，１１５ｂはそれぞれ、円板６１の中心Ｏに対して偏心された位置に設けられている。また、円板６１の背面には、回転シャフト６２が取り付けられる。このようにして円板６１の前面６１ａに遊技釘１０５ａ，１０５ｂ，１０５ｃおよび風車１１５ａ，１１５ｂが取り付けられて構成される遊技構成部品１００は、第１実施例と同様の遊技盤１０の円形孔１０ｂに遊技盤１０の背面側から嵌め込まれ、図５に示す第１実施例と同様の回転駆動装置７０により中心Ｏを回転中心として回転シャフト６２ともに回転駆動される。
【００６８】
図１２(ａ)，(ｂ)に示すように、主制御基板５７によるモータ７１の駆動制御により、円板６１は所定の回転位置に変位される。円板６１の前面６１ａに設けられる遊技釘１０５ａ，１０５ｂ，１０５ｃおよび風車１１５ａ，１１５ｂは、中心Ｏから偏心した位置に設けられているため、円板６１の回転位置に応じて位置を変位させる。
【００６９】
このような本実施例の遊技構成部品１００によると、第２実施例と同様にして、円板６１の回転位置によって、遊技釘１０５ａ，１０５ｂ，１０５ｃおよび風車１１５ａ，１１５ｂの位置を変位させることができる。従来は一度遊技盤に設けられるとその箇所で固定されて遊技球の落下し得る経路が一定の範囲で規定されていたのに対し、遊技中において遊技釘１０５ａ，１０５ｂ，１０５ｃおよび風車１１５ａ，１１５ｂの位置を変位させて遊技球の落下し得る経路を変更させることができる。これにより、従来にない興趣性を有したパチンコ機ＰＭを提供できるとともに、視覚的にも興趣性を付与することができる。
【００７０】
なお、本実施例では、複数の遊技釘１０５ａ，１０５ｂ，１０５ｃおよび複数の風車１１５ａ，１１５ｂを設けて構成したが、単数の遊技釘あるいは単数の風車を設ける形態であっても、中心Ｏから偏心した位置に設けられていれば、同様の効果を得ることができる。
【００７１】
上記第１〜第３実施例およびこれらの各変更例について説明したが、本発明に係る弾球遊技機の遊技構成部品はこれまで説明した構成形態に限られない。例えば、遊技状態に応じて所定の条件を満たしたときに予め定めた回転位置に円板６１、リング板８１（回転部材）を変位させるとしているが、遊技状態については、例えば遊技領域内に導かれた遊技球数をカウントして所定遊技球数ごとに変位させる形態、所定の入賞口に入賞した後に変位させる形態、特別遊技終了後に変位させる形態など、どのようなものであってもよい。また、このような所定の条件を満たした後に変位させるか否かの抽選を行う形態としてもよい。さらに、遊技ハンドル４６に遊技者が触れていると判断されるときにモータ７１，９１を連続的に駆動させ、遊技中は常に回転部材６１，８１を回転させる形態としてもよい。また、変位させる回転位置は、図６，図９，図１２にそれぞれ示すものに限らず、各実施例において主制御基板５７の設定により適宜変更可能である。
【００７２】
また、第１および第３実施例においては、始動入賞口１８ａの上方に遊技構成部品６０，１００を配設し、第２実施例においては遊技構成部品８０の固定板８２の前面８２ａに大入賞口１８ｂを設ける形態としたが、入賞口の種類は特に限定されない。また、必ずしも入賞口１８の近傍に設ける必要はなく、遊技領域ＰＡ内において遊技球の落下経路を変化させることで興趣性を与え得るような箇所に設けられていれば、同様の効果を得ることができる。
【００７３】
また、第１実施例および第３実施例においては、円板６１の本体部６１ｃの厚さを遊技盤１０の厚さに等しく設定して円板６１の前面６１ａと遊技盤１０の前面とが同一平面を形成するようにパチンコ機ＰＭを構成し、第２実施例においては、リング板８１および固定板８２の厚さを遊技盤２０の厚さに等しく設定してリング板８１の前面８１ａと固定板８２の前面８２ａと遊技盤２０の前面とが同一平面を形成するようにパチンコ機ＰＭを構成している。ここで、必ずしも円板６１、リング板８１、固定板８２は遊技盤１０，２０と等しい厚さに設定される必要はなく、それぞれの前面が同一平面を形成する構成であれば、本発明を同様に実施可能であり、同様の効果を得ることができる。
【００７４】
さらに、第１〜第３実施例およびその各変更例の遊技構成部品は、それぞれ１つが遊技盤に取り付けられるとしたが、遊技構成部品が嵌め込まれる円形孔を複数設け、複数個の遊技構成部品を遊技盤に取り付けてもよい。また、このとき取り付けられる遊技構成部品の形態は、単一の形態に限られず、異なる形態の遊技構成部品を取り付けて構成してもよい。
【００７５】
また、回転駆動装置の構成は上記実施例に限られず、円板６１あるいはリング板８１を回転駆動させることができる構成であれば、適宜変更可能である。
【００７６】
上記実施例では本発明に係る弾球遊技機としてパチンコ機ＰＭを例示したが、前面に遊技領域が形成された遊技盤を有して構成される弾球遊技機であればパチンコ機に限らず、例えばアレンジボール機、雀球遊技機等の他の弾球遊技機に適用しても、本発明を同様に実施可能であり、同様の効果を得ることができる。
【図面の簡単な説明】
【００７７】
【図１】本発明に係る弾球遊技機の一例として示すパチンコ機の正面図である。
【図２】パチンコ機の背面図である。
【図３】第１実施例の遊技盤の正面図である。
【図４】第１実施例の遊技構成部品の正面図である。
【図５】図３に示す矢印V−V方向に見た第１実施例の遊技盤の側断面図である。
【図６】第１実施例の遊技構成部品の回転位置について模式的に示す遊技盤の正面図である。
【図７】第１実施例の遊技構成部品の変更例を示す正面図である。
【図８】第２実施例の遊技盤の正面図である。
【図９】第２実施例の遊技構成部品の回転位置について示す遊技構成部品の正面図である。
【図１０】図８に示す矢印X−X方向の見た第２実施例の遊技盤の側断面図である。
【図１１】第２実施例の遊技構成部品の変更例を示す正面図である。
【図１２】第３実施例の遊技構成部品の回転位置について示す遊技構成部品の正面図である。
【符号の説明】
【００７８】
ＰＭ  パチンコ機
ＰＡ  遊技領域
１０，２０  遊技盤
１０ｂ，２０ｂ  円形孔
１８，２８  入賞口
１８ａ  始動入賞口
２８ｂ  大入賞口
６０  遊技構成部品（第１実施例）
６１  円板（回転部材）
６５  遊技釘（経路変更手段）
６５ａ  釘列
６６  球通路部
６６ａ  一端側開口    ６６ｂ  他端側開口
８０  遊技構成部品（第２実施例）
８１  リング板（回転部材）
８５  遊技釘（経路変更手段）
８５ａ  釘列    ８５ｂ  円弧中央部
８２  固定板
１００  遊技構成部品（第３実施例）
１０５ａ，１０５ｂ，１０５ｃ  遊技釘（経路変更手段）
１１５ａ，１１５ｂ  風車（経路変更手段）
【図１】
2006263203.tif 000003
【図２】
2006263203.tif 000004
【図３】
2006263203.tif 000005
【図４】
2006263203.tif 000006
【図５】
2006263203.tif 000007
【図６】
2006263203.tif 000008
【図７】
2006263203.tif 000009
【図８】
2006263203.tif 000010
【図９】
2006263203.tif 000011
【図１０】
2006263203.tif 000012
【図１１】
2006263203.tif 000013
【図１２】
2006263203.tif 000014